(57)【特許請求の範囲】
【請求項１】
用紙収納部の上に画像形成部を設けて装置本体を構成し、前記用紙収納部内に給紙トレイを前記装置本体の前後方向に出し入れ自在に備え、その給紙トレイから用紙を繰り出し、その用紙に前記画像形成部により画像を形成する画像形成装置において、
前記用紙収納部と前記画像形成部との間に運搬用の把手を設け、その把手を前記装置本体の前後方向に引き出し・収納自在としてなる、画像形成装置。
【請求項２】
前記全把手を収納したときにそれら把手の引き出し側の端部を一括して被うカバーを、前記用紙収納部と前記画像形成部との間に着脱自在に設けてなる、請求項１に記載の画像形成装置。
【請求項３】
個々の前記把手に、各々の引き出し側の端部を被うカバーを設けてなる、請求項１に記載の画像形成装置。
【請求項４】
前記カバーを、前記把手を収納したときに前記装置本体の外装カバーと一体化する形状としてなる、請求項３に記載の画像形成装置。
【請求項５】
前記カバーに、前記把手を収納したときに前記装置本体に掛け止める掛け止め部を設けてなる、請求項３または４に記載の画像形成装置。
【発明の詳細な説明】
【０００１】
【発明の属する技術分野】
この発明は、たとえば複写機やプリンタやファクシミリやそれらの複合機などの画像形成装置に関する。詳しくは、用紙収納部の上に画像形成部を設けて装置本体を構成し、その装置本体の前後方向に出し入れ自在に用紙収納部に給紙トレイを設け、その給紙トレイから用紙を繰り出し、その用紙に画像形成部により画像を形成する画像形成装置に関する。
【０００２】
【従来の技術】
従来、たとえば複写機の中に、図６に示すように、その装置本体１の底部に、前後方向に出し入れ自在に給紙トレイ３を設け、また、それら給紙トレイの上側で装置本体１の前面ｂに、メンテナンス用の前カバー４を開閉自在に設けたものがある。
【０００３】
そのため、このような複写機では、装置本体１の前面側には、運搬するときに手で持つ把手を設けるスペースがほとんどなく、結局、装置本体１の左右側面ａの前後に、把手２をそれぞれ矢示する左右方向に引き出し・収納自在に設けている。しかも、それら把手２は、装置本体１を持ち運ぶときに安定性をよくするため、装置本体１の底面に設ける不図示のベース板に近い最も下側に配設している。
【０００４】
そして、常時は、不使用の把手２が邪魔にならないように、それら把手を装置本体１内に押し込んで収納し、運搬時に、把手２の先端を摘まんで図６のように引き出し、それら把手２を握って装置本体１を持ち上げていた。
【０００５】
【発明が解決しようとする課題】
【０００６】
ところで、複写機等の中には、用紙搬送方向が前面ｂ側から見て左右ないし上下方向であるものがあり、その場合、たとえば手差し給紙ユニットや両面給紙ユニットやフィニシャ等のオプション装置を取り付けるときは、装置本体１の左右側面ａに取り付けるようにしていた。
【０００７】
ところが、従来、左右側面ａに、そのようなオプション装置があると、運搬時に、オプション装置が邪魔で把手を持ち難くく、そのため、わざわざ装置本体１からオプション装置を取り外してから、把手２を持って装置本体１を運ぶ必要があり、面倒であった。
【０００８】
また、場合によっては、そのオプション装置の取外しが面倒ゆえに、それを外さずに同オプション装置の一部を掴んで全体を一度に運ぶことがある。しかし、その場合は、装置本体１の重さでそれとオプション装置の取り付けが外れて、装置本体１が落下する事故が起こることがあり、危険であった。
【０００９】
さらに、従来では、上述のように把手２を装置本体１の最も下側に設けるため、装置本体１を持ち上げるときに、把手２と、たとえば床面との間に手を挟むなどの事故が発生することがあり、その点でも危険であるという課題があった。
【００１０】
【課題を解決するための手段】
そこで、請求項１に記載の発明は、たとえば以下の図面を用いて説明する実施の形態のとおり、用紙収納部１２の上に画像形成部１１を設けて装置本体１０を構成し、前記用紙収納部１２内に給紙トレイ１９・２０を前記装置本体１０の前後方向Ａに出し入れ自在に備え、その給紙トレイ１９・２０から用紙Ｐを繰り出し、その用紙Ｐに前記画像形成部１１により画像を形成する画像形成装置において、前記用紙収納部１２と前記画像形成部１１との間に運搬用の把手４０を設け、その把手４０を前記装置本体１０の前後方向Ａに引き出し・収納自在としてなる、ことを特徴とする。
【００１１】
請求項２に記載の発明は、請求項１に記載の画像形成装置において、たとえば以下の図面を用いて説明する実施の形態のとおり、前記全把手４０を収納したときにそれら把手４０の引き出し側の端部を一括して被うカバー５０を、前記用紙収納部１２と前記画像形成部１１との間に着脱自在に設けてなる、ことを特徴とする。
【００１２】
請求項３に記載の発明は、請求項１に記載の画像形成装置において、たとえば以下の図面を用いて説明する実施の形態のとおり、個々の前記把手４０に、各々の引き出し側の端部４０ａを被うカバー６０を設けてなる、ことを特徴とする。
【００１３】
請求項４に記載の発明は、請求項３に記載の画像形成装置において、たとえば以下の図面を用いて説明する実施の形態のとおり、前記カバー６０を、前記把手４０を収納したときに前記装置本体１０の、横長カバー６５のような外装カバーと一体化する形状としてなる、ことを特徴とする。
【００１４】
請求項５に記載の発明は、請求項３または４に記載の画像形成装置において、たとえば以下の図面を用いて説明する実施の形態のとおり、前記カバー６０に、前記把手４０を収納したときに前記装置本体１０に掛け止める掛け止め部６０ａを設けてなる、ことを特徴とする。
【００１５】
【発明の実施の形態】
以下、図面を参照しつつ、この発明の実施の形態について説明する。
【００１６】
図１は、この発明による画像形成装置の一例である複写機の斜視図であり、図２は、その内部機構の全体概略構成図である。
【００１７】
図中符号１０は、該複写機の装置本体である。装置本体１０は、用紙収納部１２の上側に画像形成部１１を設け、その画像形成部の上側に排紙スタック部１３を設け、さらにその上にスキャナ部１４を設けて構成する。
【００１８】
画像形成部１１は、感光体１５上に形成した画像を転写して用紙に記録を行う記録手段１６と、その記録した用紙上の転写画像を定着する定着手段１７などを備える。なお、画像形成部１１には、図中手前の前面に符号１８で示すメンテナンス用の前カバーを開閉自在に備える。
【００１９】
用紙収納部１２は、給紙トレイ１９・２０を上下二段に備え、また、それら給紙トレイ内に収納した用紙Ｐを繰り出して画像形成部１１へ送り込む給紙手段２１・２２などを備える。そして、用紙収納部１２には、給紙トレイ１９・２０を、それぞれ装置本体１０の図１中矢印Ａで示す前後方向に出し入れ自在に設ける。
【００２０】
排紙スタック部１３には、画像形成部１１から排出される記録済用紙を受ける排紙トレイ２３・２４を上下二段に備える。
【００２１】
スキャナ部１４には、図示省略するが、内部に光学読取機構を備えるとともに、上面にコピー原稿をセットするコンタクトガラスを設け、そのコンタクトガラス上のコピー原稿を押さえる圧板などを設ける。
【００２２】
さて、以上のような装置本体１０には、その右側面の上下にそれぞれ両面給紙ユニット２５と手差し給紙ユニット２６を取り付ける。左側面には、記録済用紙を綴じて製本処理するフィニッシャ２７を取り付ける。
【００２３】
そして、装置本体１０は、給紙バンク２８の上に乗せて設置する。給紙バンク２８は、内部に前後方向に出し入れ自在の給紙トレイ２９・３０を上下二段に備えるとともに、前記用紙収納部１２と同様、給紙トレイ２９・３０内から用紙Ｐを繰り出して画像形成部１１へ送り込む給紙手段３１・３２などを備える。下面には、四隅にキャスタ３３を取り付けてなる。
【００２４】
さていま、図示複写機を用いてコピーを取るときは、前記圧板を開けてコンタクトガラス上にコピー原稿をセットし、圧板を閉じてコピー原稿を押さえる。そして、コピースイッチを押し、スキャナ部１４の前記光学読取機構でコピー原稿の画像を読み取り、画像形成部１１で帯電・書込み・現像を行って読取画像を感光体１５上に形成する。
【００２５】
他方、４つの給紙トレイ１９・２０・２９・３０から１つを適宜選択し、対応する給紙手段２１・２２・３１・３２で用紙Ｐを繰り出して画像形成部１１へ搬送し、記録手段１６で感光体１５上に形成した読取画像を転写して用紙Ｐに記録し、その記録画像を定着手段１７で定着する。
【００２６】
そして、片面記録の場合は、定着後、そのまま用紙Ｐを上方の排紙スタック部１３の排紙トレイ２３または排紙トレイ２４の上に排出する。
【００２７】
一方、両面記録の場合は、定着後、用紙Ｐを右側の両面記録ユニット２５へ入れ、再び画像形成部１１へと搬送して用紙の裏面にも記録を行ってから、排紙スタック部１３へ排出する。
【００２８】
他方、記録済用紙を綴じて製本処理する場合は、定着後、用紙を、装置本体１０内を搬送路を通して左側のフィニシャ２７へと送り、複数数枚ずつ用紙束にしてから同フィニシャで綴じ、そこに備える排紙トレイ２７ａ上に排出する。なお、定着後に、用紙をフィニシャ２７へ送ってから、綴じ処理をしないで、そのまま排紙トレイ２７ａ上へ排出することもできる。
【００２９】
また、はがき等の手差し用紙にコピーを取るときは、手差し給紙ユニット２６上に手差し用紙をセットし、同様に、前記コピースイッチを押して手差し用紙を画像形成部１１へと送り込み、そこで読取画像を記録して排紙スタック部１３へ排出する。
【００３０】
ところで、上述した複写機は、図１に示すように、装置本体１０の前面側における用紙収納部１２と画像形成部１１との間の左右に、運搬用の把手４０を、それぞれ装置本体１０の前後方向Ａに引き出し・収納自在に設けてなる。
【００３１】
そのため、把手４０は、たとえば金属製で、握りやすいように杆状につくり、たとえば図示しないが、装置本体１０に設けるガイド穴を通して移動自在に設ける。そして、装置本体１０内に設ける適宜ストッパに当てて移動範囲を規制する構成とし、把手４０を収納したとき奥に入り過ぎないように、また引き出したとき抜き過ぎないようにする。そうして、この把手４０は、常時は装置本体１０内に押し込んで収納してなる。
【００３２】
なお、装置本体１０の後面側には、図１中点線で示すとおり、手を掛けられるように凹状につくった手掛け部４１を設けてなる。
【００３３】
そして、図示複写機では、たとえばユーザのオフィス等に搬入して初めて設置する場合、装置本体１０は、その前面側から、把手４０をＡ方向手前に引き出して握り、後面側から、手掛け部４１に手を掛けて持ち上げて設置位置へと運ぶ。
【００３４】
そうして、装置本体１０を、たとえば予め床の上に置いた給紙バンク２８上に載せて、同給紙バンク上に設ける位置決めピン４５を装置本体１０の底面に設ける不図示の位置決め穴に係合して位置決めする。しかる後、把手４０は、押し込んで装置本体１０内に収納する。
【００３５】
また、装置本体１０の右側面には、前記両面給紙ユニット２５と手差し給紙ユニット２６を取り付け、左側面にフィニシャ２７を取り付ける。
【００３６】
なお、その後、たとえば設置場所を変更するために、装置本体１０を移動する場合は、それら両面給紙ユニット２５・手差し給紙ユニット２６・フィニシャ２７を取り付けたまま、同様に前面側から把手４０を引き出して握り、後面側から手掛け部４１に手を掛けて持ち上げる。そして、新しい設置位置へと運ぶ。
【００３７】
ところで、上述した複写機では、たとえば図３に示すように、把手４０が収納状態にあるとき、装置本体１０の前面における用紙収納部１２と画像形成部１１との間に、ガバー５０を着脱自在に取り付けて、２つの把手４０の引き出し側の端部をともに被って見栄えをよくする構成にするとよい。
【００３８】
そのため、カバー５０は、用紙収納部１２と画像形成部１１との間の隙間ｄに合せて横長板状に形成し、その内側面の両端側にそれぞれ凸状のフック５０ａを設ける。フック５０ａには、各先端の互いに向き合う側に嵌合突部５０ｂを設けてなる。
【００３９】
一方、装置本体１０側には、図４に示すように、２つのフック５０ａと対応する位置に嵌合穴５５を設ける。嵌合穴５５の設置間隔Ｌ１は、フック５０ａの嵌合突部５０ｂ間距離Ｌ２より若干長くしてなる。
【００４０】
そして、常時は、カバー５０を、図３中矢示するように、用紙収納部１２と画像形成部１１との隙間ｄに取り付け、フック５０ａを、図４に示す嵌合穴５５に押し込んで嵌合突部５０ｂを内側で嵌合穴５５の穴縁に掛け止める。そうして、カバー５０で２つの把手４０の引き出し側の端部を、一括して外から見えないように被う。
【００４１】
一方、装置本体１０を持ち運ぶために把手４０を引き出すときは、カバー５０を手前に引いて、嵌合突部５０ｂを嵌合穴５５の穴縁から外してフック５０ａを嵌合穴５５から抜き出す。そして、同カバー５０を装置本体１０から取り外す。
【００４２】
ところで、上述した例では、１つのカバー５０で全把手４０の引き出し側の端部を一括して被うが、たとえば図５に示すように、個々の把手４０に、各々の引き出し側の端部４０ａを被うカバー６０を設ける構成とすることもできる。
【００４３】
図５に示す例では、把手４０は、断面コ形状に折り曲げて杆状に形成し、その一端側の収納側の端部４０ｂに抜け止め用の突片４０ｃを設け、中間部に入り過ぎ防止用の規制突部４０ｄを設けてなる。そして、他端側の引き出し側の端部４０ａに矩形板状のカバー６０をねじ止めし、そのカバーで同端部４０ａを被ってなる。
【００４４】
カバー６０には、その片側側縁に弾性変形可能な掛け止め部６０ａを設ける。掛け止め部６０ａは、手前に向けてＵ字形状に折り返し、その先端外面に凸部６０ｂを設けてなる。
【００４５】
一方、前記装置本体１０側には、その前面における用紙収納部１２と画像形成部１１との間の前記隙間に、図５に示すように横長カバー６５を固定して同隙間を被ってなる。
【００４６】
横長カバー６５は、その長手方向両端側に、カバー６０の形に合せて矩形状の窓穴６５ａを設ける。その窓穴６５ａには、片側窓縁に切欠き凹部６５ｂを設けてなる。
【００４７】
そして、常時は、把手４０を、この窓穴６５ａを通して押し込んで前記装置本体１０内に収納する。しかして、掛け止め部６０ａの凸部６０ｂを、窓穴６５ａを通過してその切欠き凹部６５ｂの縁に掛け、把手４０を抜け止めする。また、カバー６０は、窓穴６５ａに嵌め込み、そこを塞いで横長カバー６５と記装置本体１０の前面側で外観上一体化する。
【００４８】
しかして、前記装置本体１０を持ち運ぶべく把手４０を取り出すときは、掛け止め部６０ａの先端を押して撓ませ、凸部６０ｂを切欠き凹部６５ｂの縁から外し、窓穴６５ａを通して把手４０を引き出す。
【００４９】
【発明の効果】
したがって、請求項１に記載の発明によれば、運搬用の把手を装置本体の前後方向に引き出し・収納自在に設ける構成とするから、従来のように装置本体の左右側面にオプション装置が組み付けられていても、運搬時に、いちいち装置本体からオプション装置を取り外す必要がなく、そのまま簡単に把手を持って画像形成装置を持ち運ぶことができる。また、オプション装置の一部を掴んで運ぶようなこともなく、そのため、従来のようにオプション装置の取り付けが外れて装置本体が落下する危険もなく、安全に画像形成装置を持ち運ぶことができる。
【００５０】
さらに、請求項１に記載の発明では、その運搬用の把手を、用紙収納部と画像形成部との間の高さ位置に設けるため、運搬時に、把手と床面との間に手を挟むなどの事故が発生することを防止し、安全性をアップさせることができる。
【００５１】
請求項２および３に記載の発明によれば、加えて、把手の引き出し側端部をカバーで被うため、画像形成装置の見栄えをよくすることができる。
【００５２】
請求項２に記載の発明によれば、全把手の引き出し側の端部を一括して被うカバーを着脱自在に設け、把手を引き出すときは必ずカバーを外す必要があり、そのため、画像形成装置の使用時に、不用意に把手が引き出されることを防止することができる。
【００５３】
請求項４に記載の発明によれば、個々の把手の引き出し側端部を被うカバーを、把手を収納したときに装置本体の外装カバーと一体化する形状とすることにより、画像形成装置の前面側を凹凸の少ないスッキリした外観にして一層見栄えをよくすることができる。また、個々の把手を引き出すときに、装置本体の外装カバーをいちいち外す必要をなくすこともできる。
【００５４】
請求項５に記載の発明によれば、そのカバーに、把手を収納したときに装置本体に掛け止める掛け止め部を設けることにより、画像形成装置の使用時に、誤って同把手が引き出されることを防止することができる。
【図面の簡単な説明】
【図１】この発明による複写機の装置本体を給紙バンク上に設置する状態を示す斜視図である。
【図２】その複写機のオプション装置を含む全体の内部機構を示す全体概略構成図である。
【図３】その複写機の装置本体に把手を被うカバーを取り付ける状態を示す斜視図である。
【図４】そのカバーの取付状態を示す縦断面図である。
【図５】カバーで把手の引き出し側の端部を被う他の例を示す斜視図である。
【図６】従来の複写機の斜視図である。
【符号の説明】
１０        装置本体
１１        画像形成部
１２        用紙収納部
１９・２０  給紙トレイ
４０        把手
４０ａ      把手の引き出し側端部
５０・６０  カバー
６０ａ      掛け止め部
Ｐ          用紙
【図１】
0003613508.tif 000002
【図２】
0003613508.tif 000003
【図３】
0003613508.tif 000004
【図４】
0003613508.tif 000005
【図５】
0003613508.tif 000006
【図６】
0003613508.tif 000007